(57)【要約】【課題】  複数の画面をユーザにとってわかりやすい状態で提示できる情報提示装置を提供することを目的とする。【解決手段】  情報提示装置１０は、ＰＣ１、画面選択部２、表示制御部３および表示部４を備える。情報提示装置１０は、たとえば複数の画面（スライド）を利用してプレゼンテーションを行うシステムである。ＰＣ１は、複数の画面を表示するためのプレゼンテーション資料の映像信号を出力する。画面選択部２は、投影されている複数の画面の中からユーザが説明する（所定の）画面を選択するものである。表示制御部３は、ＰＣ１からの映像信号に基づいて、第１の画面をスクリーンＳ１に投影した後、第１の画面の次の第２の画面を投影する際に、第１の画面をスクリーンＳ１からスクリーンＳ１の隣りのスクリーンＳ２に移動させるように投影するとともに、第２の画面をスクリーンＳ１に投影するよう表示部４の制御を行う。【選択図】          図１
2006259007.tif 000002
【特許請求の範囲】
【請求項１】
第１の画面と該第１の画面の次の第２の画面を投影する投影手段と、
前記第１の画面を第１の領域に投影した後、前記第２の画面を投影する際に、前記第１の画面を該第１の領域から該第１の領域の隣りの第２の領域に移動させるように投影するとともに、前記第２の画面を該第１の領域に投影するよう制御する制御手段と
を備えることを特徴とする情報提示装置。
【請求項２】
前記制御手段は、前記第１の画面を前記第２の領域に投影する際に、前記第２の領域の大きさに応じて、前記第１の画面のサイズを変更することを特徴とする請求項１に記載の情報提示装置。
【請求項３】
前記制御手段は、前記第１の領域と前記第２の領域との間の距離に応じて、前記第１の画面を前記第１の領域から第２領域に移動させる速度を変更することを特徴とする請求項１に記載の情報提示装置。
【請求項４】
前記制御手段は、前記第２の画面を前記第１の領域に投影する際に、前記第１の領域の周辺から前記第１の領域の中心に移動するように、前記第２の画面を投影するよう制御することを特徴とする請求項１に記載の情報提示装置。
【請求項５】
前記制御手段は、前記第２の画面を前記第１の領域に投影する際に、前記第１の領域の下方から前記第１の領域の中心に向かって移動するように、前記第２の画面を投影するよう制御することを特徴とする請求項１に記載の情報提示装置。
【請求項６】
第１の画面を第１の領域に投影するステップと、
前記第１の画面の次の第２の画面を投影する際に、前記第１の画面を該第１の領域から該第１の領域の隣りの第２の領域に移動させるように投影するとともに、前記第２の画面を該第１の領域に投影するステップと
を有することを特徴とする情報提示方法。
【請求項７】
前記第１の画面を前記第２の領域に投影する際に、前記第２の領域の大きさに応じて、前記第１の画面のサイズを変更するステップをさらに有することを特徴とする請求項６に記載の情報提示方法。
【請求項８】
前記第１の領域と前記第２の領域との間の距離に応じて、前記第１の画面を前記第１の領域から第２領域に移動させる速度を変更するステップをさらに有することを特徴とする請求項６に記載の情報提示方法。
【請求項９】
前記第２の画面を前記第１の領域に投影する際に、前記第１の領域の周辺から前記第１の領域の中心に移動するように、前記第２の画面を投影するステップをさらに有することを特徴とする請求項６に記載の情報提示方法。
【請求項１０】
前記第２の画面を前記第１の領域に投影する際に、前記第１の領域の下方から前記第１の領域の中心に向かって移動するように、前記第２の画面を投影するステップをさらに有することを特徴とする請求項６に記載の情報提示方法。
【発明の詳細な説明】
【技術分野】
【０００１】
本発明は、複数の画面を同時に利用する情報提示装置および情報提示方法に関する。
【背景技術】
【０００２】
従来、表示装置のヘッドアップディスプレイ装置においては、複数の表示を同時あるいは切り替えて表示することから、使用者が各種情報を認識しやすく表示する必要があり、小さい表示領域であっても、表示される情報を使用者に容易に認識させることが可能な表示装置が提案されている（特許文献１）。
【０００３】
また、他の従来技術として、複数のモニター全体にわたってウィンドウ処理を統括的に管理することができるマルチモニターシステムが提案されている（特許文献２、特許文献３）。
【０００４】
また、他の従来技術として、日本語ワードプロセッサは、表示画面上に１度に表示できる文字数が限られているため、文書容量の多い文書を表示画面で読む場合、現在表示されている画面から次の画面に切り替えて、引き続き文書を読むことが必要になる。このため、画面切替操作の向上を図り、かつ前画面の一部を表示することで、スムーズに次画面の文書等を読むことが可能となる表示装置が提案されている（特許文献４）。
【０００５】
【特許文献１】特開２００３−３４５３３４号公報
【特許文献２】特開平５−３２３９３２号公報
【特許文献３】特開２０００−３３０５３４号公報
【特許文献４】特開平９−１６０７４７号公報
【発明の開示】
【発明が解決しようとする課題】
【０００６】
複数画面を用いてプレゼンテーションを行う場合、同時に複数の情報が提示できるため、情報伝達の効率が上り効率的に情報共有が行える。そのため、複数画面を用いてプレゼンテーションを行うためのソフトウェアやハードウェアのシステムが存在する。
【０００７】
しかしながら、複数画面を用いてプレゼンテーションを行う、同時に複数の情報が提示されるため、情報を受け取る側にとっては、受け取る情報量が増加する一方、それぞれの情報の関連が瞬時に把握できず混乱を起こしてしまうことがあった。
【０００８】
そこで、本発明は、上記問題点に鑑みてなされたもので、複数の画面をユーザにとってわかりやすい状態で提示できる情報提示装置および情報提示方法を提供することを目的とする。
【課題を解決するための手段】
【０００９】
上記課題を解決するために、本発明は、第１の画面と該第１の画面の次の第２の画面を投影する投影手段と、前記第１の画面を第１の領域に投影した後、前記第２の画面を投影する際に、前記第１の画面を該第１の領域から該第１の領域の隣りの第２の領域に移動させるように投影するとともに、前記第２の画面を該第１の領域に投影するよう制御する制御手段とを備える情報提示装置である。本発明によれば、第１の画面を第１の領域から第２の領域に移動させるように投影するとともに、第２の画面を第１の領域に投影することで、それぞれの画面の関連性を瞬時に把握することができ、複数の画面をユーザにとってわかりやすい状態で提示できる。
【００１０】
前記制御手段は、前記第１の画面を前記第２の領域に投影する際に、前記第２の領域の大きさに応じて、前記第１の画面のサイズを変更することを特徴とする。本発明によれば、領域に応じた表示ができるため、見え易い画面を提供することができる。
【００１１】
前記制御手段は、前記第１の領域と前記第２の領域との間の距離に応じて、前記第１の画面を前記第１の領域から第２領域に移動させる速度を変更することを特徴とする。これにより、たとえば、第１の領域と第２の領域との間の距離が長い場合は、第１の画面を早く第２の領域に移動させるとともに、第１の領域と第２の領域との間の距離が短い場合は、第１の画面をゆっくりと移動させることにより、ユーザは同じテンポで画面を見ることができる。
【００１２】
前記制御手段は、前記第２の画面を前記第１の領域に投影する際に、前記第１の領域の周辺から前記第１の領域の中心に移動するように、前記第２の画面を投影するよう制御することを特徴とする。これにより、第２の画面が新しい画面であることがすぐに把握できる。前記制御手段は、前記第２の画面を前記第１の領域に投影する際に、前記第１の領域の下方から前記第１の領域の中心に向かって移動するように、前記第２の画面を投影するよう制御することを特徴とする。これにより、第２の画面が新しい画面であることがすぐに把握できる。
【００１３】
本発明は、第１の画面を第１の領域に投影するステップと、前記第１の画面の次の第２の画面を投影する際に、前記第１の画面を該第１の領域から該第１の領域の隣りの第２の領域に移動させるように投影するとともに、前記第２の画面を該第１の領域に投影するステップとを有する情報提示方法である。本発明によれば、第１の画面を第１の領域から第２の領域に移動させるように投影するとともに、第２の画面を第１の領域に投影することで、それぞれの画面の関連性を瞬時に把握することができ、複数の画面をユーザにとってわかりやすい状態で提示できる。
【００１４】
本発明の情報提示方法は、前記第１の画面を前記第２の領域に投影する際に、前記第２の領域の大きさに応じて、前記第１の画面のサイズを変更するステップをさらに有する。本発明によれば、領域に応じた表示ができるため、見え易い画面を提供することができる。本発明の情報提示方法は、前記第１の領域と前記第２の領域との間の距離に応じて、前記第１の画面を前記第１の領域から第２領域に移動させる速度を変更するステップをさらに有する。本発明によれば、たとえば、第１の領域と第２の領域との間の距離が長い場合は、第１の画面を早く第２の領域に移動させるとともに、第１の領域と第２の領域との間の距離が短い場合は、第１の画面をゆっくりと移動させることにより、ユーザは同じテンポで画面を見ることができる。
【００１５】
本発明の情報提示方法は、前記第２の画面を前記第１の領域に投影する際に、前記第１の領域の周辺から前記第１の領域の中心に移動するように、前記第２の画面を投影するステップをさらに有する。これにより、第２の画面が新しい画面であることがすぐに把握できる。本発明の情報提示方法は、前記第２の画面を前記第１の領域に投影する際に、前記第１の領域の下方から前記第１の領域の中心に向かって移動するように、前記第２の画面を投影するステップをさらに有する。これにより、第２の画面が新しい画面であることがすぐに把握できる。
【発明の効果】
【００１６】
本発明によれば、複数の画面をユーザにとってわかりやすい状態で提示できる情報提示装置および情報提示方法を提供することができる。
【発明を実施するための最良の形態】
【００１７】
以下、本発明を実施するための最良の形態について説明する。図１は、本発明による情報提示装置（プレゼンテーションシステム）の一実施例を示すブロック図である。情報提示装置１０は、ＰＣ１、画面選択部２、表示制御部３および表示部４を備える。
【００１８】
ここでは、情報提示装置１０は、たとえば複数の画面（スライド）を利用してプレゼンテーションを行うシステムである。たとえば、３画面を使用してプレゼンテーションを行う場合、中央でプレゼンテーションを行い、左に要約、右に直前のスライドなどを表示することができる。また、情報提示装置１０は、パーソナルコンピュータのプレゼンテーション用ソフトウェアで作成した資料（スライド）を大型ディスプレイやプロジェクターによる投影画面へ提示する方法によってプレゼンテーションを行う。
【００１９】
ＰＣ１は、複数の画面を表示するためのプレゼンテーション資料の映像信号を出力する。画面選択部２は、投影されている複数の画面の中からユーザが説明する（所定の）画面を選択するものである。ここで、画面選択部２は、たとえばマウスなどのポインティングデバイスやリモコンなどによる無線システム、タッチパネルなどにより構成される。また、画面選択部２は、ユーザの状態、例えば発表者の視線や脳波、呼吸などの生体信号や動作、姿勢、位置などの動きを利用して画面を選択するようにしてもよい。
【００２０】
表示制御部３は、ＰＣ１からの映像信号に基づいて、第１の画面をスクリーン（第１の領域）Ｓ１に投影した後、第１の画面の次の第２の画面を投影する際に、第１の画面をスクリーンＳ１からスクリーンＳ１の隣りのスクリーン（第２の領域）Ｓ２に移動させるように投影するとともに、第２の画面をスクリーンＳ１に投影するよう表示部４の制御を行うものである。表示部４は、たとえばプロジェクターで構成され、第１の画面と第１の画面の次の第２の画面などをスクリーンＳ１〜Ｓ３に投影する。
【００２１】
図２および図３は、本発明の実施例に係る情報提示装置による表示例を説明するための図である。図４は、情報提示装置１０の動作フローチャートである。図２（ａ）に示すように、第１の画面１０をスクリーンＳ１に投影する（ステップＳ１）。次に、第２の画面２０を投影する際に、図２（ｂ）、（ｃ）及び図３（ｄ）に示すように、第１の画面１０をスクリーンＳ１からスクリーンＳ１の隣りのスクリーンＳ２に移動させるように投影する（ステップＳ２）。次に、図３（ｅ）に示すように、第２の画面２０をスクリーンＳ１に投影する（ステップＳ３）。
【００２２】
同様にして、図３（ｆ）に示すように、第１の画像１０をスクリーンＳ２に、および第２の画像２０をスクリーンＳ１に投影した後、第３の画面３０を投影する際に、第１の画面１０をスクリーンＳ２からスクリーンＳ２の隣りのスクリーンＳ３に移動させるように投影するとともに、第２の画面２０をスクリーンＳ１からスクリーンＳ１の隣りのスクリーンＳ２に移動させるように投影した後、第３の画面３０をスクリーンＳ１に投影する。このように、スライドが切り替わる際、スライドを右に移動するような効果を与える。これにより、それぞれの画面の関連性を瞬時に把握することができ、複数の画面をユーザにとってわかりやすい状態で提供できる。
【００２３】
図５は、情報提示装置１０の他の表示例を説明するための図である。表示制御部３は、第１の画面１０をスクリーンＳ２に投影する際に、スクリーンＳ２の大きさに応じて、第１の画面１０のサイズを変更する。たとえば、図５（ａ）に示すように、表示制御部３は、第１の画面１０をスクリーンＳ２に投影する際に、スクリーンＳ２の大きさがスクリーンＳ１の大きさよりも大きい場合は、第１の画面１０のサイズをスクリーンＳ２の大きさに応じて拡大し、この拡大した第１の画像を、同図（ｂ）に示すように、スクリーンＳ２に投影する。
【００２４】
反対に、表示制御部３は、第１の画面１０をスクリーンＳ２に投影する際に、スクリーンＳ２の大きさがスクリーンＳ１の大きさよりも小さい場合は、第１の画面１０のサイズをスクリーンＳ２の大きさに応じて縮小し、この縮小した第１の画像を、スクリーンＳ２に投影する。このように、表示するディスプレイが大きい場合、拡大する効果を加え、小さい場合、縮小する効果を与えることにより、投影する領域に応じた見え易い画面を提供することができる。
【００２５】
図６は、情報提示装置１０による他の表示例を説明するための図である。図６に示すように、表示制御部３は、スクリーンとスクリーンとの間の距離Ｘ１、Ｘ２に応じて、第１の画面をスクリーンから次のスクリーンに移動させる速度を変更する。たとえば、表示制御部３は、スクリーンＳ２とスクリーンＳ３の間の距離Ｘ２が長い場合、第１の画面１０をスクリーンＳ２から早い速度でスクリーンＳ３に移動させる。反対に、表示制御部３は、スクリーンＳ１とスクリーンＳ２の間の距離Ｘ１が短い場合、第２の画面２０をスクリーンＳ１からスクリーンＳ２に遅い速度で移動させる。このように、画面が物理的に離れている場合、効果の動きを早く、近いものを遅くすることにより、ユーザは同じテンポで画面を見ることができる。
【００２６】
図７は、情報提示装置１０による他の表示例を説明するための図である。図７（ａ）〜（ｃ）に示すように、表示制御部３は、第２の画面２０をスクリーンＳ１に投影する際に、スクリーンＳ１の周辺からスクリーンＳ１の中心に移動するように、第２の画面２０を投影するよう制御を行う。これにより、ユーザは第２の画面２０が新しい画面であることをすぐに把握することができる。図７では、第２の画面２０をスクリーンＳ１に投影する際に、スクリーンＳ１の下方からスクリーンＳ１の中心に向かって移動するように、第２の画面２０を投影するよう制御を行った例である。初めて表示されるスライドは、他のスライドの動きと直交するような動きの効果を加えている。
【００２７】
本発明の実施例によれば、プレゼンテーションなどで、画面の切り替えを行う際に、表示デバイスの位置や大きさに合わせて、画面の切り替えの効果にスクロールや拡大縮小を行って表示する。また、表示デバイスの位置情報に基づいて効果の速度を変更する。これにより、プレゼンテーション資料の見映えがよく、聞き手にとってわかりやすいプレゼンテーションを提供することができる。
【００２８】
なお、本発明による情報提示方法は、例えば、ＣＰＵ（Central Processing Unit）、ＲＯＭ(Read Only Memory)、ＲＡＭ(Random Access Memory)等を用いて実現され、プログラムをハードディスク装置や、ＣＤ−ＲＯＭ、ＤＶＤまたはフレキシブルディスクなどの可搬型記憶媒体等からインストールし、または通信回路からダウンロードし、ＣＰＵがこのプログラムを実行することで、各ステップが実現される。
【００２９】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００３０】
【図１】本発明による情報提示装置の一実施例を示すブロック図である。
【図２】本発明の実施例に係る情報提示装置による表示例を説明するための図である。
【図３】本発明の実施例に係る情報提示装置による表示例を説明するための図である。
【図４】情報提示装置１０の動作フローチャートである。
【図５】情報提示装置１０の他の表示例を説明するための図である。
【図６】情報提示装置１０による他の表示例を説明するための図である。
【図７】情報提示装置１０による他の表示例を説明するための図である。
【符号の説明】
【００３１】
１  情報処理システム
２  画像選択部
３  表示制御部
４  表示部
【図１】
2006259007.tif 000003
【図２】
2006259007.tif 000004
【図３】
2006259007.tif 000005
【図４】
2006259007.tif 000006
【図５】
2006259007.tif 000007
【図６】
2006259007.tif 000008
【図７】
2006259007.tif 000009